(57)【要約】      （修正有）【課題】供給棚の下端面と排出棚の上端面との間の寸法を大きく設定した場合であっても、受入姿勢と搬送姿勢とに切り替え可能な切替棚の傾斜角度を小さく設定できる物流用棚装置を提供する。【解決手段】搬送棚本体１に、搬送方向上流側の供給棚２から搬送されてくる被搬送物Ｗを、搬送方向下流側に配置した排出棚３に搬送するための切替棚４を設け、この切替棚４を、被搬送物Ｗを上流側の供給棚から受け入れるために切替棚４の供給棚２側が上向きになるように傾斜する受入姿勢４Ａと、被搬送物Ｗを下流側の排出棚３に搬送するために切替棚４の排出棚３側が下向きになるように傾斜する搬送姿勢４Ｂとに切り替える物流用棚装置において、この切替棚４の支持機構５が、搬送姿勢４Ｂにある切替棚４の反排出棚側の高さ位置４ｂが、受入姿勢４Ａにある切替棚４の反供給棚側の高さ位置４ａより低位置で切替棚４を支持するようにするリンク機構５１、５２を備える。【選択図】図２
2006335548.tif 000002
【特許請求の範囲】
【請求項１】
搬送棚本体に、搬送方向上流側の供給棚から搬送されてくる被搬送物を、搬送方向下流側に配置した排出棚に搬送するための切替棚を設け、該切替棚を、被搬送物を上流側の供給棚から受け入れるために切替棚の供給棚側が上向きになるように傾斜する受入姿勢と、被搬送物を下流側の排出棚に搬送するために切替棚の排出棚側が下向きになるように傾斜する搬送姿勢とに切り替え可能にする切替棚の支持機構を配設した物流用棚装置において、前記切替棚の支持機構が、搬送姿勢にある切替棚の反排出棚側の高さ位置が、受入姿勢にある切替棚の反供給棚側の高さ位置より低位置で切替棚を支持するようにするリンク機構を備えてなることを特徴とする物流用棚装置。
【請求項２】
切替棚の支持機構のリンク機構が、切替棚を搬送方向に異なる２箇所の位置でそれぞれ支持する屈折可能な２組の支持杆を備えてなることを特徴とする請求項１記載の物流用棚装置。
【請求項３】
切替棚を支持する支持杆を屈折させるタイミングを２組の支持杆で異ならせたことを特徴とする請求項２記載の物流用棚装置。
【請求項４】
受入姿勢にある切替棚を支持するときに、切替棚を支持する支持杆が、切替棚と搬送棚本体との間で略鉛直方向に直線状になるようにしたことを特徴とする請求項１、２又は３記載の物流棚装置。
【請求項５】
切替棚を、被搬送物を上流側の供給棚から受け入れる受入姿勢をとる方向に付勢し、該受入姿勢にある切替棚に被搬送物が搬送、載置されるとともに、切替棚の支持機構による支持が解除されたときに被搬送物を下流側の排出棚に搬送する搬送姿勢に切り替わるように付勢力を設定した付勢手段を配設したことを特徴とする請求項１、２、３又は４記載の物流用棚装置。
【発明の詳細な説明】
【技術分野】
【０００１】
本発明は、物流用棚装置に関し、例えば、電機製品の組立工場において箱詰めされた電気部品を作業者が取り出して所定の組立作業をするため等に用いられる物流用棚装置に関するものである。
【背景技術】
【０００２】
従来、物流用棚装置として、例えば、箱詰めされた電気部品を組立作業者が箱から取り出し、電気部品を取り出した後の空箱を、重力を利用して所定の場所まで搬送するようにした物流用棚装置が提案されている（例えば、特許文献１参照）。
【０００３】
この物流用棚装置は、作業者に向けて下向きに傾斜する供給棚と、排出側に向けて下向きに傾斜する排出棚と、供給棚及び排出棚の傾斜に沿うように揺動可能に設けられた切替棚とを備えるようにしている。
この物流用棚装置は、切替棚が供給棚の傾斜に沿った姿勢とされた状態で被搬送物である箱を供給棚から切替棚に供給、搬送し、例えば、箱詰めされた電気部品を組立作業者が箱から取り出し、電気部品を取り出した後の空箱は、排出棚の傾斜に沿うよう揺動させた切替棚から排出棚に供給、搬送するようにしている。
【特許文献１】実開平７−２３７１３号公報
【発明の開示】
【発明が解決しようとする課題】
【０００４】
ところで、上記従来の物流用棚装置において、供給棚の下端面と排出棚の上端面との間の寸法は、切替棚から排出棚に供給、搬送される被搬送物が供給棚の下端面に衝突しないように、少なくとも被搬送物の高さ以上の寸法に設定するようにしている。
ここで、上記特許文献１の図１に記載された被搬送物のように、その高さが比較的小さい場合は、供給棚の下端面と排出棚の上端面との間の寸法を小さくできるため、切替棚の傾斜角度を供給棚や排出棚に合わせて小さく設定することができる。
一方、被搬送物の高さが大きい場合には、供給棚の下端面と排出棚の上端面との間の寸法を被搬送物の高さに合わせて大きくする必要があるが、このように供給棚の下端面と排出棚の上端面との間の寸法を大きくすると、切替棚の傾斜角度（被搬送物を上流側の供給棚から受け入れるために切替棚の供給棚側が上向きになるように傾斜する受入姿勢と、被搬送物を下流側の排出棚に搬送するために切替棚の排出棚側が下向きになるように傾斜する搬送姿勢とをとる切替棚の揺動角度）が必然的に大きくなる。
そして、このように、切替棚の傾斜角度が供給棚や排出棚の傾斜角度より大きくなると、切替棚の搬送面と供給棚や排出棚の搬送面との連続性がなくなり、被搬送物の搬送を円滑に行えなくなるだけでなく、切替棚の箇所で被搬送物の搬送速度が上がり、被搬送物に衝撃を与えるおそれが生じるという問題があった。
【０００５】
本発明は、上記従来の物流用棚装置の有する問題点に鑑み、供給棚の下端面と排出棚の上端面との間の寸法を大きく設定した場合であっても、被搬送物を供給棚から受け入れる受入姿勢と、被搬送物を排出棚に搬送する搬送姿勢とに切り替え可能な切替棚の傾斜角度を小さく設定することができる物流用棚装置を提供することを目的とする。
【課題を解決するための手段】
【０００６】
上記目的を達成するため、本発明の物流用棚装置は、搬送棚本体に、搬送方向上流側の供給棚から搬送されてくる被搬送物を、搬送方向下流側に配置した排出棚に搬送するための切替棚を設け、該切替棚を、被搬送物を上流側の供給棚から受け入れるために切替棚の供給棚側が上向きになるように傾斜する受入姿勢と、被搬送物を下流側の排出棚に搬送するために切替棚の排出棚側が下向きになるように傾斜する搬送姿勢とに切り替え可能にする切替棚の支持機構を配設した物流用棚装置において、前記切替棚の支持機構が、搬送姿勢にある切替棚の反排出棚側（切替棚の排出棚と反対側の端縁）の高さ位置が、受入姿勢にある切替棚の反供給棚側（切替棚の供給棚と反対側の端縁）の高さ位置より低位置で切替棚を支持するようにするリンク機構を備えてなることを特徴とする。
【０００７】
この場合において、切替棚の支持機構のリンク機構が、切替棚を搬送方向に異なる２箇所の位置でそれぞれ支持する屈折可能な２組の支持杆を備えるようにすることができる。
【０００８】
また、切替棚を支持する支持杆を屈折させるタイミングを２組の支持杆で異ならせるようにすることができる。
【０００９】
また、受入姿勢にある切替棚を支持するときに、切替棚を支持する支持杆が、切替棚と搬送棚本体との間で略鉛直方向に直線状になるようにすることができる。
本明細書において、「略鉛直」とは、水平に対して、７０゜程度以上の角度をいう。
【００１０】
また、切替棚を、被搬送物を上流側の供給棚から受け入れる受入姿勢をとる方向に付勢し、該受入姿勢にある切替棚に被搬送物が搬送、載置されるとともに、切替棚の支持機構による支持が解除されたときに被搬送物を下流側の排出棚に搬送する搬送姿勢に切り替わるように付勢力を設定した付勢手段を配設することができる。
【発明の効果】
【００１１】
本発明の物流用棚装置によれば、搬送棚本体に、搬送方向上流側の供給棚から搬送されてくる被搬送物を、搬送方向下流側に配置した排出棚に搬送するための切替棚を設け、該切替棚を、被搬送物を上流側の供給棚から受け入れるために切替棚の供給棚側が上向きになるように傾斜する受入姿勢と、被搬送物を下流側の排出棚に搬送するために切替棚の排出棚側が下向きになるように傾斜する搬送姿勢とに切り替え可能にする切替棚の支持機構を配設した物流用棚装置において、前記切替棚の支持機構が、搬送姿勢にある切替棚の反排出棚側の高さ位置が、受入姿勢にある切替棚の反供給棚側の高さ位置より低位置で切替棚を支持するようにするリンク機構を備えるようにすることにより、供給棚の下端面と排出棚の上端面との間の寸法を大きく設定した場合であっても、被搬送物を供給棚から受け入れる受入姿勢と、被搬送物を排出棚に搬送する搬送姿勢とに切り替え可能な切替棚の傾斜角度を小さく設定することができ、切替棚の搬送面と供給棚や排出棚の搬送面との連続性を維持して被搬送物の搬送を円滑に行うようにすることができるとともに、切替棚の箇所で被搬送物の搬送速度が上がることがなく被搬送物に衝撃を与えるおそれをなくすことができる。
【００１２】
また、切替棚の支持機構のリンク機構が、切替棚を搬送方向に異なる２箇所の位置でそれぞれ支持する屈折可能な２組の支持杆を備えるようにすることにより、簡易な構造の切替棚の支持機構によって、搬送姿勢にある切替棚の反排出棚側の高さ位置が、受入姿勢にある切替棚の反供給棚側の高さ位置より低位置で切替棚を支持するようにするができる。
【００１３】
また、切替棚を支持する支持杆を屈折させるタイミングを２組の支持杆で異ならせるようにすることにより、支持杆を屈折動作させるために要する力を分散でき、動作を円滑に行うようにすることができる。
【００１４】
また、受入姿勢にある切替棚を支持するときに、切替棚を支持する支持杆が、切替棚と搬送棚本体との間で略鉛直方向に直線状になるようにすることにより、切替棚にかかる荷重を、支持杆に曲げモーメントを発生させることなく支持することができる。
【００１５】
また、切替棚を、被搬送物を上流側の供給棚から受け入れる受入姿勢をとる方向に付勢し、該受入姿勢にある切替棚に被搬送物が搬送、載置されるとともに、切替棚の支持機構による支持が解除されたときに被搬送物を下流側の排出棚に搬送する搬送姿勢に切り替わるように付勢力を設定した付勢手段を配設することにより、切替棚の切替操作を小さい力で行うことができるとともに、被搬送物を排出棚に搬送して空になった切替棚を、被搬送物を供給棚から受け入れる受入姿勢に自動的に復帰させることができる。
【発明を実施するための最良の形態】
【００１６】
以下、本発明の物流用棚装置の実施の形態を、図面に基づいて説明する。
【００１７】
図１〜図６に、本発明の物流用棚装置の一実施例を示す。
この物流用棚装置は、搬送棚本体１に、搬送方向上流側の供給棚２から搬送されてくる被搬送物Ｗを、搬送方向下流側に配置した排出棚３に搬送するための切替棚４を設け、この切替棚４を、被搬送物Ｗを上流側の供給棚２から受け入れる受入姿勢４Ａと、被搬送物Ｗを下流側の排出棚３に搬送する搬送姿勢４Ｂとに、作業者の操作（特に限定されるものではないが、本実施例においては、足踏み操作）によって切り替え可能にする切替棚４の支持機構５を配設するようにしている。
【００１８】
この場合において、特に限定されるものではないが、搬送棚本体１は、パイプ部材とその連結具とから構成されるとともに、供給棚２及び排出棚３、さらに必要に応じて、切替棚４には、被搬送物Ｗの搬送を円滑に行うことができるように、ローラ部材を配設するようにする。
【００１９】
そして、この物流用棚装置は、上流側の供給棚２の搬送路の出口位置に、搬送路の搬送面から突出して被搬送物Ｗを係止する係止姿勢６１Ａと、搬送路の搬送面下に沈み込んだ係止解除姿勢６１Ｂとに、作業者の操作（特に限定されるものではないが、本実施例においては、手動操作）によって切り替え可能にすることにより被搬送物Ｗの切替棚４への移動を規制するストッパ機構６を配設するとともに、このストッパ機構６によって係止された被搬送物Ｗの搬送方向上流側の位置に、ストッパ機構６によって係止された被搬送物Ｗの有無に応じて、搬送路の搬送面から突出して被搬送物Ｗの移動速度を抑える制動姿勢７１Ａと、搬送路の搬送面下に沈み込んだ制動解除姿勢７１Ｂとに、自動的に切り替え可能にすることにより被搬送物Ｗの移動速度を規制するブレーキ機構７を配設するようにしている。
【００２０】
また、切替棚４の支持機構５は、搬送姿勢４Ｂにある切替棚４の反排出棚側の高さ位置４ｂが、受入姿勢４Ａにある切替棚４の反供給棚側の高さ位置４ａより低位置で切替棚４を支持するようにするリンク機構５１、５２を備えている。
このように、搬送姿勢４Ｂにある切替棚４の反排出棚側（切替棚４の排出棚３と反対側の端縁）の高さ位置４ｂが、受入姿勢４Ａにある切替棚４の反供給棚側（切替棚４の供給棚２と反対側の端縁）の高さ位置４ａより低位置で切替棚４を支持するようにすることにより、供給棚２の下端面と排出棚３の上端面との間の寸法を大きく設定した場合であっても、被搬送物Ｗを供給棚２から受け入れる受入姿勢４Ａと、被搬送物Ｗを排出棚３に搬送する搬送姿勢４Ｂとに切り替え可能な切替棚４の傾斜角度を小さく設定することができ、切替棚４の搬送面と供給棚２や排出棚３の搬送面との連続性を維持して被搬送物Ｗの搬送を円滑に行うようにすることができるとともに、切替棚４の箇所で被搬送物Ｗの搬送速度が上がることがなく被搬送物Ｗに衝撃を与えるおそれをなくすことができるようにしている。
【００２１】
そして、このリンク機構５１、５２は、切替棚４を搬送方向に異なる２箇所の位置でそれぞれ支持する屈折可能な２組の支持杆５１ａ、５２ａを備えるようにすることにより、簡易な構造の切替棚４の支持機構５によって、搬送姿勢４Ｂにある切替棚４の反排出棚側の高さ位置４ｂが、受入姿勢４Ａにある切替棚４の反供給棚側の高さ位置４ａより低位置で切替棚４を支持することができるようにしている。
【００２２】
ここで、受入姿勢４Ａにある切替棚４を支持するときに、切替棚４を支持する２組の支持杆５１ａ、５２ａが、切替棚４と搬送棚本体１との間で略鉛直方向（ここで、「略鉛直」とは、水平に対して、７０゜程度以上の角度をいうが、８０゜程度以上の角度となるようにすることが望ましい。）に直線状になるようにすることが望ましい。これにより、切替棚４にかかる荷重を、支持杆５１ａ、５２ａに曲げモーメントを発生させることがなく、切替棚４を安定して支持することができる。
この支持杆５１ａ、５２ａは、下端部を搬送棚本体１の桟１１、１２に揺動可能に軸支するとともに、中間部を略く字状に屈折可能に形成し、上端部で切替棚４を支持するようにする。
また、支持杆５１ａ、５２ａは、支持杆５１ａ、５２ａが直線状になる方向に付勢するばね５１ｂ、５２ｂを備えるようにしている。
【００２３】
供給棚２（排出棚３）側の支持杆５１ａの上部側には、搬送棚本体１に揺動可能に軸支した足踏み操作杆５３をリンク機構５４を介して接続し、足踏み操作杆５３を踏み操作することにより、支持杆５１ａを、略鉛直方向に直線状に伸びて切替棚４を支持する状態（このとき、切替棚４は、被搬送物Ｗを上流側の供給棚２から受け入れる受入姿勢４Ａをとる。）から、略く字状に屈折した状態（このとき、切替棚４は、被搬送物Ｗを下流側の排出棚３に搬送する搬送姿勢４Ｂをとる。）になるようにする。
反供給棚２（反排出棚３）側の支持杆５２ａは、足踏み操作杆５３が踏み操作されることにより、リンク機構５４に設けられた屈折用操作片５４ａが支持杆５２ａの屈折用被操作片５２ｃに当接、押し操作して、支持杆５２ａを、略鉛直方向に直線状に伸びて切替棚４を支持する状態（このとき、切替棚４は、被搬送物Ｗを上流側の供給棚２から受け入れる受入姿勢４Ａをとる。）から、略く字状に屈折した状態（このとき、切替棚４は、被搬送物Ｗを下流側の排出棚３に搬送する搬送姿勢４Ｂをとる。）になるようにする。
この場合、切替棚４を支持する支持杆５１ａ，５２ａを屈折させるタイミングを２組の支持杆で異ならせる、具体的には、供給棚２（排出棚３）側の支持杆５１ａを反供給棚２（反排出棚３）側の支持杆５２ａより早く屈折させるようにすることにより、支持杆５１ａ，５２ａを屈折動作させるために要する力を分散でき、一連の動作を円滑に行うようにすることができる。
なお、支持杆５１ａ、５２ａは、支持杆５１ａ、５２ａが直線状になる方向に付勢するばね５１ｂ、５２ｂを備えているため、足踏み操作杆５３の踏み操作を解除すると、自動的に、足踏み操作杆５３及び支持杆５１ａ、５２ａは、初期状態に復帰する。
この場合、反供給棚２（反排出棚３）側の支持杆５２ａは、足踏み操作杆５３の踏み操作が解除されることにより、リンク機構５４に設けられた復帰用操作片５４ｂが支持杆５２ａの復帰用被操作片５２ｄに当接、押し操作して、支持杆５２ａが初期状態に確実に復帰するようにしている。
【００２４】
なお、切替棚４の支持機構５は、切替棚４を、被搬送物Ｗを上流側の供給棚２から受け入れる受入姿勢４Ａと、被搬送物Ｗを下流側の排出棚３に搬送する搬送姿勢４Ｂとに切り替え可能で、かつ、搬送姿勢４Ｂにある切替棚４の反排出棚側の高さ位置４ｂが、受入姿勢４Ａにある切替棚４の反供給棚側の高さ位置４ａより低位置で切替棚４を支持することができるものであれば、その機構は、上記のものに限定されるものではない。
【００２５】
一方、切替棚４には、被搬送物Ｗを上流側の供給棚２から受け入れる受入姿勢４Ａをとる方向に付勢し、受入姿勢４Ａにある切替棚４に被搬送物Ｗが搬送、載置されるとともに、切替棚４の支持機構５による支持が解除されたときに被搬送物Ｗを下流側の排出棚３に搬送する搬送姿勢４Ｂに切り替わるように付勢力を設定した付勢手段８を配設する。
この付勢手段８としては、具体的には、索条８２を介して取り付けた重錘８１を好適に用いることができる。
これにより、切替棚４の切替操作を小さい力で行うことができるとともに、被搬送物Ｗを排出棚３に搬送して空になった搬送姿勢４Ｂにある切替棚４を、被搬送物Ｗを供給棚２から受け入れる受入姿勢４Ａに自動的に復帰させることができる。
【００２６】
被搬送物Ｗの切替棚４への移動を規制するストッパ機構６は、上流側の供給棚２の搬送路の出口位置に、搬送路の搬送面から突出して被搬送物Ｗを係止する係止姿勢６１Ａと、搬送路の搬送面下に沈み込んだ係止解除姿勢６１Ｂとに切り替え可能にすることにより被搬送物Ｗの切替棚４への移動を規制するストッパ片６１と、ストッパ片６１の操作機構６２と、操作機構６２を作業者が操作（特に限定されるものではないが、本実施例においては、手動による押し操作）するための操作杆６３と、操作杆６３を作業者が操作していない状態においてストッパ片６１が係止姿勢６１Ａをとるように操作機構６２を付勢するばね６４とからなる。
ここで、ストッパ片６１の操作機構６２は、操作杆６３によって押し操作されて揺動するとともに、ばね６４によって付勢される略Ｌ字状の被操作片６２ａと、被操作片６２ａに連動してストッパ片６１を操作する操作片６２ｂとからなる。
【００２７】
被搬送物Ｗの移動速度を規制するブレーキ機構７は、ストッパ機構６によって係止された被搬送物Ｗの搬送方向上流側の位置に、ストッパ機構６によって係止された被搬送物Ｗの有無に応じて、搬送路の搬送面から突出して被搬送物Ｗの移動速度を抑える制動姿勢７１Ａと、搬送路の搬送面下に沈み込んだ制動解除姿勢７１Ｂとに、自動的に切り替え可能にすることにより被搬送物Ｗの移動速度を規制するブレーキ片７１と、ブレーキ片７１の操作機構７２と、ストッパ機構６によって係止された被搬送物Ｗがない状態においてブレーキ片７１が制動解除姿勢７１Ｂをとるように操作機構７２を付勢するばね７３とからなる。
ここで、ブレーキ片７１の操作機構７２は、ストッパ機構６によって係止された被搬送物Ｗによって押し操作されて揺動するとともに、ばね７３によって付勢される略Ｌ字状の被操作片７２ａと、リンク杆７２ｂを介して被操作片７２ａに連動してブレーキ片７１を操作する操作片７２ｃとからなる。
【００２８】
次に、この物流用棚装置の動作について説明する。
まず、搬送方向上流側の供給棚２の始端から被搬送物Ｗを順次供給すると、被搬送物Ｗは、供給棚２の搬送路の出口位置に配設したストッパ機構６の係止姿勢６１Ａをとっているストッパ片６１によって係止される。
このとき、ストッパ機構６によって係止された被搬送物Ｗの後続の被搬送物Ｗは、ストッパ機構６によって係止された被搬送物Ｗがブレーキ機構７の被操作片７２ａ上に存在することによって、制動姿勢７１Ａに自動的に切り替えられるストッパ機構６のブレーキ片７１によって制動され、ストッパ機構６によって係止された被搬送物Ｗに後続の被搬送物Ｗが強く衝突することを防止できる。
【００２９】
次に、ストッパ機構６の操作杆６３を作業者が手動により押し操作して、ストッパ片６１を係止姿勢６１Ａから係止解除姿勢６１Ｂに切り替えることにより、被搬送物Ｗは、上流側の供給棚２から受け入れる受入姿勢４Ａをとっている切替棚４に自動的に搬送、載置される。
このとき、ストッパ機構６によって係止された被搬送物Ｗの後続の被搬送物Ｗは、ストッパ機構６によって係止された被搬送物Ｗがブレーキ機構７の被操作片７２ａ上に存在する間は、制動姿勢７１Ａに自動的に切り替えられるストッパ機構６のブレーキ片７１によって制動されるが、被搬送物Ｗが切替棚４に搬送されると、ストッパ機構６のブレーキ片７１が制動解除姿勢７１Ｂに自動的に切り替わり、被搬送物Ｗは移動を開始する。そして、被搬送物Ｗは、先の被搬送物Ｗが切替棚４に搬送、載置された後、操作杆６３の押し操作を解除することによって係止姿勢６１Ａに自動的に復帰したストッパ機構６のストッパ片６１によって係止される。このようにして、供給棚２から切替棚４に被搬送物Ｗを受け入れる際に、後続の被搬送物Ｗの始動を遅らせることができ、後続の被搬送物Ｗをストッパ機構６によって確実に係止することができる。
【００３０】
切替棚４に供給、搬送された被搬送物Ｗは、例えば、被搬送物Ｗに箱詰めされた電気部品等を作業者が順次取り出し、組立作業を行う。
そして、被搬送物Ｗに箱詰めされた電気部品等を取り出した後、切替棚４の支持機構５の足踏み操作杆５３を踏み操作することにより、支持杆５１ａを、略鉛直方向に直線状に伸びて切替棚４を支持する状態（このとき、切替棚４は、被搬送物Ｗを上流側の供給棚２から受け入れる受入姿勢４Ａをとる。）から、略く字状に屈折した状態（このとき、切替棚４は、被搬送物Ｗを下流側の排出棚３に搬送する搬送姿勢４Ｂをとる。）になる。
また、反供給棚２（反排出棚３）側の支持杆５２ａは、足踏み操作杆５３が踏み操作されることにより、供給棚２（排出棚３）側の支持杆５１ａより遅れて、リンク機構５４に設けられた屈折用操作片５４ａが支持杆５２ａの屈折用被操作片５２ｃに当接、押し操作して、支持杆５２ａを、略鉛直方向に直線状に伸びて切替棚４を支持する状態（このとき、切替棚４は、被搬送物Ｗを上流側の供給棚２から受け入れる受入姿勢４Ａをとる。）から、略く字状に屈折した状態（このとき、切替棚４は、被搬送物Ｗを下流側の排出棚３に搬送する搬送姿勢４Ｂをとる。）になる。
このようにして、被搬送物（空箱）Ｗを下流側の排出棚３に搬送するようにする。
被搬送物Ｗを排出棚３に搬送して空になった搬送姿勢４Ｂにある切替棚４は、付勢手段８の作用によって、配被搬送物Ｗを供給棚２から受け入れる受入姿勢４Ａに自動的に復帰するが、支持杆５１ａ、５２ａも、支持杆５１ａ、５２ａが直線状になる方向に付勢するばね５１ｂ、５２ｂを備えているため、足踏み操作杆５３の踏み操作を解除すると、自動的に、足踏み操作杆５３及び支持杆５１ａ、５２ａは、初期状態に復帰する。
この場合、反供給棚２（反排出棚３）側の支持杆５２ａは、足踏み操作杆５３の踏み操作が解除されることにより、リンク機構５４に設けられた復帰用操作片５４ｂが支持杆５２ａの復帰用被操作片５２ｄに当接、押し操作して、支持杆５２ａが初期状態に確実に復帰する。
【００３１】
以下、同様にして、搬送方向上流側の供給棚２から搬送されてくる被搬送物Ｗを、被搬送物Ｗを上流側の供給棚２から受け入れる受入姿勢４Ａと、被搬送物Ｗを下流側の排出棚３に搬送する搬送姿勢４Ｂとに切り替え可能な切替棚４に搬送、載置し、必要な作業を行った後、被搬送物Ｗを切替棚４から搬送方向下流側に配置した排出棚３に搬送することを繰り返すようにする。
【００３２】
このように、この物流用棚装置は、搬送姿勢４Ｂにある切替棚４の反排出棚側の高さ位置４ｂが、受入姿勢４Ａにある切替棚４の反供給棚側の高さ位置４ａより低位置で切替棚４を支持するようにすることにより、供給棚２の下端面と排出棚３の上端面との間の寸法を大きく設定した場合であっても、被搬送物Ｗを供給棚２から受け入れる受入姿勢４Ａと、被搬送物Ｗを排出棚３に搬送する搬送姿勢４Ｂとに切り替え可能な切替棚４の傾斜角度を小さく設定することができ、切替棚４の搬送面と供給棚２や排出棚３の搬送面との連続性を維持して被搬送物Ｗの搬送を円滑に行うようにすることができるとともに、切替棚４の箇所で被搬送物Ｗの搬送速度が上がることがなく被搬送物Ｗに衝撃を与えるおそれをなくすことができる。
また、この物流用棚装置は、被搬送物Ｗを供給棚２から受け入れる受入姿勢４Ａと、被搬送物Ｗを排出棚３に搬送する搬送姿勢４Ｂとに切り替え可能な切替棚４を有しながら、特別な電気供給設備やシリンダ装置用配管設備を必要とせず、レイアウトを変更する場合の移動を簡単に行うことができる構成とすることができる。
【００３３】
以上、本発明の物流用棚装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３４】
本発明の物流用棚装置は、供給棚の下端面と排出棚の上端面との間の寸法を大きく設定した場合であっても、被搬送物を供給棚から受け入れる受入姿勢と、被搬送物を排出棚に搬送する搬送姿勢とに切り替え可能な切替棚の傾斜角度を小さく設定することができることから、例えば、電機製品の組立工場において箱詰めされた電気部品を作業者が取り出して所定の組立作業をするため等に用いられる物流用棚装置の用途に好適に用いることができる。
【図面の簡単な説明】
【００３５】
【図１】本発明の物流用棚装置の一実施例の全体を示す斜視図である。
【図２】同右側面図である。
【図３】同装置の要部を示し、足踏み操作杆を踏み操作していない状態（切替棚が受入姿勢にある状態）の左側面図である。
【図４】同装置の要部を示し、（ａ）は足踏み操作杆の踏み操作を開始した状態の左側面図、（ｂ）は屈折用操作片と被屈折用被操作片との関係を示す斜視図である。
【図５】同装置の要部を示し、足踏み操作杆を踏み込んだ状態（切替棚が搬送姿勢にある状態）の左側面図である。
【図６】同装置の要部を示し、（ａ）は足踏み操作杆の踏み操作を解除した状態の左側面図、（ｂ）は復帰用操作片と被復帰用操作片との関係を示す斜視図である。
【００３６】
１    搬送棚本体
１１  桟
１２  桟
２    供給棚
３    排出棚
４    切替棚
５    支持機構
５１  リンク機構
５１ａ  支持杆
５１ｂ  ばね
５２  リンク機構
５２ａ  支持杆
５２ｂ  ばね
５２ｃ  屈折用被操作片
５２ｄ  復帰用被操作片
５３  足踏み操作杆
５４  リンク機構
５４ａ  屈折用操作片
５４ｂ  復帰用操作片
６    ストッパ機構
６１  ストッパ片
６２  操作機構
６３  操作杆
６４  ばね
７    ブレーキ機構
７１  ブレーキ片
７２  操作機構
７３  ばね
８    付勢手段
８１  重錘
８２  索条
Ｗ    被搬送物
【図１】
2006335548.tif 000003
【図２】
2006335548.tif 000004
【図３】
2006335548.tif 000005
【図４】
2006335548.tif 000006
【図５】
2006335548.tif 000007
【図６】
2006335548.tif 000008